(57)【特許請求の範囲】
【請求項１】
第１のテンプレート画像に形成されている第１の画像合成領域に，立体画像を構成する左目用画像と右目用画像との第１の重複画像部分を表示するように表示装置を制御する第１の表示制御手段，
視差量拡大指令に応じて，上記左目用画像と上記右目用画像との水平方向のずれ量である視差量を拡大する視差量拡大手段，
上記視差量拡大手段によって視差量が拡大されたことに応じて，上記第１の画像合成領域に余白が生じるかどうかを判定する余白判定手段，
上記余白判定手段によって余白が生じると判定されたことに応じて，上記第１のテンプレート画像を，余白が生じない第２の画像合成領域が形成されている第２のテンプレート画像に取り替える取替え手段，および
上記取替え手段によって取り替えられた上記第２のテンプレート画像の上記第２の画像合成領域に，上記視差量拡大手段によって拡大された視差量をもつ上記左目用画像と上記右目用画像との第２の重複画像部分を表示するように上記表示装置を制御する第２の表示制御手段，
を備えた立体画像表示制御装置。
【請求項２】
上記取替え手段によって取り替えられる上記第２のテンプレート画像のレイアウトが，上記第１のテンプレート画像のレイアウトと同じものである，
請求項１に記載の立体画像表示制御装置。
【請求項３】
上記第１のテンプレート画像に形成されている上記第１の画像合成領域が複数の場合には上記第２のテンプレート画像に形成されている上記第２の画像合成領域も上記第１の画像合成領域の数と同じ複数であり，
上記第１の表示制御手段の制御のもとに上記第１の重複画像部分が表示される上記第１の画像合成領域に対応する上記第２の画像合成領域に上記第２の重複画像部分が表示されるものである，
請求項２に記載の立体画像表示制御装置。
【請求項４】
上記余白判定手段は，
上記第２の重複画像部分の横幅よりも上記第１の画像合成領域の横幅が大きい場合に余白が生じると判定するものである，
請求項１から３のうち，いずれか一項に記載の立体画像表示制御装置。
【請求項５】
上記左目用画像，上記右目用画像，上記第１の画像合成領域および上記第２の画像合成領域がすべて矩形であり，
上記第２の重複画像部分と上記第１の画像合成領域との共通部分のアスペクト比と，上記第２の画像合成領域のアスペクト比とが同じである，
請求項１から４のうち，いずれか一項に記載の立体画像表示制御装置。
【請求項６】
画像合成領域が形成されている多数のテンプレート画像を表わすテンプレート画像データを記憶するテンプレート画像データ記憶手段をさらに備え，
上記視差量拡大手段は，
上記テンプレート画像データ記憶手段に記憶されているテンプレート画像データによって表わされるテンプレート画像に形成されている画像合成領域に余白が生じない視差量の拡大を許容するものである，
請求項１から５に記載の立体画像表示制御装置。
【請求項７】
第１の表示制御手段が，第１のテンプレート画像に形成されている第１の画像合成領域に，立体画像を構成する左目用画像と右目用画像との第１の重複画像部分を表示するように表示装置を制御し，
視差量拡大手段が，視差量拡大指令に応じて，上記左目用画像と上記右目用画像との水平方向のずれ量である視差量を拡大し，
余白判定手段が，上記視差量拡大手段によって視差量が拡大されたことに応じて，上記第１の画像合成領域に余白が生じるかどうかを判定し，
取替え手段が，上記余白判定手段によって余白が生じると判定されたことに応じて，上記第１のテンプレート画像を，余白が生じない第２の画像合成領域が形成されている第２のテンプレート画像に取り替え，
第２の表示制御手段が，上記取替え手段によって取り替えられた上記第２のテンプレート画像の上記第２の画像合成領域に，上記視差量拡大手段によって拡大された視差量をもつ上記左目用画像と上記右目用画像との第２の重複画像部分を表示するように上記表示装置を制御する，
立体画像表示制御装置の動作制御方法。
【請求項８】
立体画像表示制御装置のコンピュータを制御するコンピュータ読み取り可能なプログラムであって，
第１のテンプレート画像に形成されている第１の画像合成領域に，立体画像を構成する左目用画像と右目用画像との第１の重複画像部分を表示するように表示装置を制御させ，
視差量拡大指令に応じて，上記左目用画像と上記右目用画像との水平方向のずれ量である視差量を拡大させ，
視差量が拡大されたことに応じて，上記第１の画像合成領域に余白が生じるかどうかを判定させ，
余白が生じると判定されたことに応じて，上記第１のテンプレート画像を，余白が生じない第２の画像合成領域が形成されている第２のテンプレート画像に取り替えさせ，
取り替えられた上記第２のテンプレート画像の上記第２の画像合成領域に，拡大された視差量をもつ上記左目用画像と上記右目用画像との第２の重複画像部分を表示するように上記表示装置を制御させるように立体画像表示制御装置のコンピュータを制御するプログラム。
【発明の詳細な説明】
【技術分野】
【０００１】
この発明は，立体画像表示制御装置ならびにその動作制御方法およびその動作制御プログラムに関する。
【背景技術】
【０００２】
画像を電子アルバムのフォトフレームに貼り付ける場合に，画像とフォトフレームとの間に隙間が無いようにするものがある（特許文献１）。また，立体画像を表示する場合に，立体画像の飛び出し量が一意に決まらないので飛び出し量を調整するもの（特許文献２，３），画像の拡大，縮小により飛び出し量が変化するので，変化した飛び出し量が視差範囲内かどうかを判別するもの（特許文献４）などがある。
【０００３】
しかしながら，画像合成領域が規定されている場合において，立体画像を貼り付けたときに生じ得る問題については何ら考えられていない。
【先行技術文献】
【特許文献】
【０００４】
【特許文献１】特開2006-134230号公報
【特許文献２】特開2010-45584号公報
【特許文献３】特開平8-205203号公報
【特許文献４】特許第4259913号
【発明の概要】
【０００５】
この発明は，画像合成領域に立体画像を表示した場合に，画像合成領域に余白ができないようにすることを目的とする。
【０００６】
この発明による立体画像表示制御装置は，第１のテンプレート画像に形成されている第１の画像合成領域に，立体画像を構成する左目用画像と右目用画像との第１の重複画像部分を表示するように表示装置を制御する第１の表示制御手段，視差量拡大指令に応じて，上記左目用画像と上記右目用画像との水平方向のずれ量である視差量を拡大する視差量拡大手段，上記視差量拡大手段によって視差量が拡大されたことに応じて，上記第１の画像合成領域に余白が生じるかどうかを判定する余白判定手段，上記余白判定手段によって余白が生じると判定されたことに応じて，上記第１のテンプレート画像を，余白が生じない第２の画像合成領域が形成されている第２のテンプレート画像に取り替える取替え手段，および上記取替え手段によって取り替えられた上記第２のテンプレート画像の上記第２の画像合成領域に，上記視差量拡大手段によって拡大された視差量をもつ上記左目用画像と上記右目用画像との第２の重複画像部分を表示するように上記表示装置を制御する第２の表示制御手段を備えていることを特徴とする。
【０００７】
この発明は，上記立体画像表示制御装置に適した動作制御方法も提供している。すなわち，この方法は，第１の表示制御手段が，第１のテンプレート画像に形成されている第１の画像合成領域に，立体画像を構成する左目用画像と右目用画像との第１の重複画像部分を表示するように表示装置を制御し，視差量拡大手段が，視差量拡大指令に応じて，上記左目用画像と上記右目用画像との水平方向のずれ量である視差量を拡大し，余白判定手段が，上記視差量拡大手段によって視差量が拡大されたことに応じて，上記第１の画像合成領域に余白が生じるかどうかを判定し，取替え手段が，上記余白判定手段によって余白が生じると判定されたことに応じて，上記第１のテンプレート画像を，余白が生じない第２の画像合成領域が形成されている第２のテンプレート画像に取り替え，第２の表示制御手段が，上記取替え手段によって取り替えられた上記第２のテンプレート画像の上記第２の画像合成領域に，上記視差量拡大手段によって拡大された視差量をもつ上記左目用画像と上記右目用画像との第２の重複画像部分を表示するように上記表示装置を制御するものである。
【０００８】
この発明は，上記立体画像表示制御装置の動作制御方法を実施するためのコンピュータが読み取り可能なプログラムも提供している。そのようなプログラムを格納した記録媒体を提供するようにしてもよい。
【０００９】
この発明によると，第１のテンプレート画像に形成されている第１の画像合成領域に，立体画像を構成する矩形の左目用画像と矩形の右目用画像との第１の重複画像部分が表示される。視差量拡大指令が与えられると，左目用画像と右目用画像との水平方向のずれ量である視差量が拡大される。視差量が拡大すると重複画像部分の水平方向の幅が狭くなるので，視差量が拡大されたことにより画像合成領域に余白ができてしまう。この発明では，視差量が拡大されたことにより画像合成領域に余白が生じるかどうかが判定される。余白が生じると判定されると，第１のテンプレート画像が，余白が生じないような第２の画像合成領域が形成されている第２のテンプレート画像に取り替えられる。拡大された視差量をもつ左目用画像と右目用画像との第２の重複画像部分が，第２のテンプレート画像の第２の画像合成領域に表示される。画像合成領域に余白が生じてしまうことを未然に防止できる。
【００１０】
上記取替え手段によって取り替えられる上記第２のテンプレート画像のレイアウトは，上記第１のテンプレート画像のレイアウトと同じものであることが好ましい。
【００１１】
上記第１のテンプレート画像に形成されている上記第１の画像合成領域が複数の場合には上記第２のテンプレート画像に形成されている上記第２の画像合成領域も上記第１の画像合成領域の数と同じ複数である。この場合，上記第１の表示制御手段の制御のもとに上記第１の重複画像部分が表示される上記第１の画像合成領域に対応する上記第２の画像合成領域に上記第２の重複画像部分が表示される。
【００１２】
上記余白判定手段は，たとえば，上記第２の重複画像部分の横幅よりも上記第１の画像合成領域の横幅が大きい場合に余白が生じると判定するものである。
【００１３】
上記左目用画像，上記右目用画像，上記第１の画像合成領域および上記第２の画像合成領域がすべて矩形の場合には，たとえば，上記第２の重複画像部分と上記第１の画像合成領域との共通部分のアスペクト比と，上記第２の画像合成領域のアスペクト比とが同じである。
【００１４】
画像合成領域が形成されている多数のテンプレート画像を表わすテンプレート画像データを記憶するテンプレート画像データ記憶手段をさらに備えてもよい。この場合，上記視差量拡大手段は，たとえば，上記テンプレート画像データ記憶手段に記憶されているテンプレート画像データによって表わされるテンプレート画像に形成されている画像合成領域に余白が生じない視差量の拡大を許容するものである。
【図面の簡単な説明】
【００１５】
【図１】パーソナル・コンピュータの電気的構成を示すブロック図である。
【図２】電子アルバム編集用ウインドウの一例である。
【図３】電子アルバムを構成するページの画像の一例である。
【図４】電子アルバム生成処理手順を示すフローチャートである。
【図５】（Ａ）は左目用画像を，（Ｂ）は右目用画像を示している。
【図６】立体画像の一例を示している。
【図７】視差量を拡大した様子を示している。
【図８】さらに視差量を拡大した様子を示している。
【図９】電子アルバムを構成するページの画像の一例である。
【図１０】視差量を縮小した様子を示している。
【図１１】電子アルバム生成処理手順の一部を示すフローチャートである。
【実施例】
【００１６】
図１は，この発明の実施例を示すもので，パーソナル・コンピュータ１の電気的構成を示すブロック図である。この実施例では，パーソナル・コンピュータ１は，インターネットを介してサーバ・コンピュータ（図示略）と通信する。サーバ・コンピュータ１と通信しながら，ユーザはパーソナル・コンピュータ１を用いて電子アルバムを作成する。もちろん，サーバ・コンピュータと通信せずに電子アルバムを生成してもよいし，パーソナル・コンピュータ１を用いずに，スーパー，デパート，コンビニエンス・ストアなどに置かれている店頭端末装置を利用して電子アルバムを生成することもできる。その場合には，店頭端末装置が図１に示す電気的構成をもつものとなる。
【００１７】
パーソナル・コンピュータ１の全体の動作は，ＣＰＵ２によって統括される。
【００１８】
パーソナル・コンピュータ１には，表示装置３，メモリ４，サーバ・コンピュータと通信するための通信装置５，およびキーボード，マウスなどの入力装置６が含まれている。また，パーソナル・コンピュータ１には，多数の画像を表わす画像データなどが記録されているハード・ディスク10およびハード・ディスク10にアクセスするためのハードディスク・ドライブ９が含まれている。さらに，パーソナル・コンピュータ１には，後述する動作を制御するプログラムが格納されているCD-ROM８にアクセスするCD-ROMドライブ７も含まれている。CD-ROM８に格納されているプログラムがCD-ROMドライブ７によって読み取られ，読み取られたプログラムがパーソナル・コンピュータ１にインストールされることにより，パーソナル・コンピュータ１が後述するように動作する。もっとも動作プログラムは，CD-ROM８のようなパーソナル・コンピュータ１に着脱自在な記録媒体に格納されていなくとも，ネットワークを介してパーソナル・コンピュータ１にダウンロードされて，パーソナル・コンピュータ１にインストールされるようにしてもよい。
【００１９】
図２は電子アルバム編集用ウインドウ40の一例である。
【００２０】
以下，電子アルバムの生成処理について説明するが，パーソナル・コンピュータ１は，サーバ・コンピュータとすでに接続しており，パーソナル・コンピュータ１の表示装置３の表示画面には図３に示す電子アルバム編集用ウインドウ40が表示されているものとする。
【００２１】
編集用ウインドウ40の左下部には，電子アルバムに貼り付ける画像42が表示される画像表示領域41が形成されている。この画像表示領域41に，ハード・ディスク10に格納されている画像データによって表わされる画像（ユーザの画像）42が表示されている。店頭端末装置を用いて電子アルバムを作成する場合には，ユーザは画像データが記録されているメモリ・カードなどの記録媒体を持参し，その記録媒体から画像データが読み取られ，読み取られた画像データによって表される画像が画像表示領域41に表示されるのはいうまでもない。そのような場合には，店頭端末装置にはメモリ・カード・リーダが設けられる。画像表示領域41の右側にはスクロール・ボタン43が形成されている。スクロール・ボタン43はカーソル（図示略）によって上下に移動自在である。スクロール・ボタン43がカーソルによって上下に移動させられることにより，画像表示領域41に現れていない画像が画像表示領域41に現れる。
【００２２】
詳しくは後述するように，この実施例では電子アルバムに立体画像を表示させることができる。画像表示領域41に表示されている画像42も立体画像である。画像表示領域41に表示されている画像42については後述する視差量の拡大および縮小が自由にできる。これに対して，次に述べる編集領域48に表示されるページ（テンプレート）の画像49に形成されている画像合成領域53に表示される立体画像については視差量の拡大に応じて画像合成領域53に余白ができると判断されると，余白ができないような画像合成領域53をもつページの画像49に取り替えられる。
【００２３】
編集用ウインドウ40の上部には，電子アルバムを構成するページ（テンプレート）の画像45が表示されるページ表示領域44が形成されている。ページ表示領域44の下にはスクロール・ボタン46が形成されている。スクロール・ボタン46もカーソル（図示略）によって左右に移動自在である。スクロール・ボタン46がカーソルによって左右に移動させられることにより，ページ表示領域44に現れていないページの画像がページ表示領域44に現れる。
【００２４】
編集用ウインドウ40のほぼ全体にわたって電子アルバムを構成するページを編集する編集領域48が形成されている。ページ表示領域44に表示されているページの画像の中から所望のページの画像が選択されると（たとえば，ドラッグ・アンド・ドロップにより選択されると），その選択されたページの画像49が編集領域48に表示される。選択されたページの画像49の左側のページ51および右側のページ52のそれぞれに複数の（単数でもよい）矩形の（矩形でなくともよい）画像合成領域53が規定されている。この画像合成領域53に，電子アルバムを構成する画像が貼り付けられる。たとえば，画像表示領域41に表示されている画像42の中から所望の画像が，所望の画像合成領域53にドラッグ・アンド・ドロップされることにより，画像貼り付けが行われる。編集用ウインドウ40の右側には，文字合成，画像削除，画像の色変換など行うための編集用ボタン47が形成されている。上述のように，画像合成領域53に貼り付けられる画像は立体画像であり，その立体画像の視差量の拡大も編集用ボタン47を用いて行われる。
【００２５】
図３は，編集用ウインドウ40の編集領域48に表示されている右側のページ52を図２に比べて拡大したものである。
【００２６】
電子アルバムを構成するページ52には３行２列の複数の画像合成領域53が形成されている。これらの画像合成領域53同士は上下の間隔および左右の間隔は等しく配置されている。複数の画像合成領域53の大きさはすべて同じであり，アスペクト比はｗ１（横幅）：ｈ１（高さ）である。
【００２７】
画像合成領域53に画像が貼り付けられる。とくに，この実施例においては，画像合成領域53には立体画像が貼り付けられる。ユーザは，立体画像の電子アルバムを生成することができる。
【００２８】
図４は，電子アルバムの生成処理手順を示すフローチャートである。
【００２９】
この実施例では，画像合成領域53に立体画像を貼り付け（表示し），貼り付けた立体画像の視差量の拡大および縮小が出来る。視差量を拡大したときに，後述するように画像合成領域53に余白ができる場合には余白ができないような画像合成領域が形成されているページに取り替えられる。
【００３０】
画像表示領域41に表示されている画像42の中から所望の画像42が選択される。選択された画像42が所望の画像合成領域53に貼り付けられる。すると，画像合成領域53に選択された画像42の立体画像が表示される（ステップ21）。
【００３１】
図５（Ａ）は矩形の左目用画像60Ｌを示し，図５（Ｂ）は矩形の右目用画像60Ｒを示している。
【００３２】
立体画像を表示する場合には，観賞者の左目で見る左目用画像60Ｌと観賞者の右目で見る右目用画像60Ｒとが必要である。このために，この実施例では，画像合成領域53に立体画像として表示させたい画像には，左目用画像60Ｌと右目用画像60Ｒとがあらかじめ記憶されている。左目用画像60Ｌおよび左目用画像60Ｒは矩形でなくともよい。
【００３３】
図６は，立体画像を示している。
【００３４】
左目用画像60Ｌと右目用画像60Ｒとが水平方向にずらされて（水平方向のずれ量が視差量）重ね合わせられると，観賞者は重複画像部分61を立体画像として見ることができる。この実施例では，この重複画像部分61のうち，画像合成領域53の大きさと同じ大きさの領域62内の画像部分が画像合成領域53に表示される。画像合成領域53に表示される画像は立体画像となる。
【００３５】
図４に戻って，立体画像が表示された画像合成領域53のアスペクト比（横幅：高さ＝ｗ１：ｈ１）が読み取られる（ステップ22）。
【００３６】
つづいて，ユーザによって視差調整指令が与えられる（ステップ23）。編集用ボタン47に視差調整指令ボタンが含まれており，その視差調整指令ボタンにより，視差量の拡大および縮小の視差調整指令が与えられる。
【００３７】
視差調整量の拡大指令が与えられると（ステップ24），その指令に応答して視差量が拡大させられる（ステップ25）。視差量が拡大させられると，視差量が拡大された後に画像表示領域53に表示される立体画像のアスペクト比が読み取られる（ステップ26）。
【００３８】
図７は，図６に示す立体画像と比較して視差量を拡大した立体画像を示している。
【００３９】
視差量の拡大指令が与えられると，拡大指令によって決定される視差の拡大量に応じて左目用画像60Ｌと右目用画像60Ｒとは外側に離れるように位置決めされる。視差量が拡大されると，左目用画像60Ｌと右目用画像60Ｒの重複画像部分61Ａの幅ｗ２は視差量の拡大前よりも狭くなる。
【００４０】
画像表示領域53に表示される立体画像は，重複画像部分61Ａと，画像表示領域53に対応する領域62との共通部分である。図７に示す例では，領域62は，重複画像部分61Ａにすべて含まれているから，領域62内の画像がすべて画像表示領域53に表示される。画像表示領域53に表示される立体画像のアスペクト比は画像表示領域53のアスペクト比と同じとなる。
【００４１】
図８は，図７と比べてさらに視差量を拡大した立体画像を示している。
【００４２】
視差量がさらに拡大されると，左目用画像60Ｌと右目用画像60Ｒとの重複画像部分61Ｂの横幅ｗ２はさらに狭くなる。すると，画像合成領域53には，画像合成領域53に対応する領域62のうち，重複画像部分61Ｂに含まれる共通部分（ハッチングで示す）64が表示される。このハッチングで示す共通部分64の両側の画像部分63は画像合成領域53には表示されない。共通部分64の横幅は，重複画像部分61Ｂの横幅ｗ２と同じであり，高さは視差量の拡大前と変わらないからｈ１である。アスペクト比は，横幅：高さ＝ｗ２：ｈ１である。共通部分64が立体画像として画像合成領域53に表示されると，画像合成領域53の両側には余白ができてしまう。
【００４３】
図４に戻って，画像合成領域53のアスペクト比と視差量の拡大後に画像合成領域53に表示される立体画像のアスペクト比とから，視差量の拡大後の立体画像が画像合成領域に表示された場合に，その画像合成領域53に余白ができるかどうかが判定される（ステップ27）。視差量の拡大前後で立体画像の高さは変わらないので，視差量の拡大後の立体画像の横幅（重複画像部分61Ａ，62Ｂなどの横幅）ｗ２が画像合成領域53の横幅ｗ１未満であれば画像合成領域53に余白ができると判断される。視差量の拡大後の重複画像部分61Ａの横幅ｗ２が画像合成領域53の横幅以上であれば画像合成領域53に余白ができないと判断される。
【００４４】
図７に示すように視差の拡大量が少なく，画像合成領域53に余白ができなければ（ステップ27でＮＯ），拡大指令が立体画像表示に反映される。視差量の拡大後の重複画像部分61Ａのうち領域62の画像部分が画像合成領域53に表示される（ステップ32）。視差量調整が終了でなければ（ステップ30でＮＯ），再びステップ23からの処理が繰り返される。
【００４５】
図８に示すように視差の拡大量が多く，画像合成領域53に余白ができると（ステップ27でＹＥＳ），ページ画像51が，余白が少なくなる（好ましくは余白ができなくなる）画像合成領域を有するページ画像に取り替えられる（ステップ28，テンプレートの取替え）。
【００４６】
パーソナル・コンピュータ１（またはサーバ・コンピュータ）に記憶されている多数のページ画像のうち，立体画像のアスペクト比（横幅：高さ＝ｗ２：ｈ１）と同じアスペクト比をもち，かつ大きさも同じ画像合成領域が形成されているページに取り替えられる。取り替えられるページのレイアウトは，取り替えられる前のページのレイアウトと同じものである。
【００４７】
図９は，取り替えられるページの一例である。
【００４８】
ページ51Ａは，取り替えられる前のページ51と同じレイアウトのもので，３行２列の画像合成領域53Ａが同一列，同一行については互いの画像合成領域53Ａ同士が均等の間隔で配置されている。ページ51に含まれている画像合成領域53の数と，取り替えられたページ51Ａに含まれている画像合成領域53Ａの数とは同じである。レイアウトが同じであることが好ましいが，必ずしもレイアウトが同じでなくともよい。画像合成領域53Ａのアスペクト比（横幅：高さ＝ｗ２：ｈ１）および大きさは，図８に示した共通部分64のアスペクト比および大きさと等しい。
【００４９】
共通部分64の大きさと画像合成領域の大きさが異なっても，共通部分64のアスペクト比と画像合成領域のアスペクト比とが同じであれば，ページの拡大または縮小により共通部分64を画像合成領域に貼り付けても余白が無くなるので，そのような画像合成領域が形成されているページがあれば，そのページに取り替えられる。共通部分64のアスペクト比と同じアスペクト比をもつ画像合成領域が形成されているページが無ければ，共通部分64の横幅以上の横幅をもち，かつ共通部分64の高さ以上の高さをもつ画像合成領域のうち，共通部分64の横幅に近い横幅をもち，かつ共通部分64の高さに近い高さをもつ画像合成領域が形成されているページに取り替えられる。
【００５０】
図４に戻って，取り替えられたページ51Ａの画像合成領域53Ａに，画像合成領域53Ａと領域62との共通部分（重複画像部分）64が表示される（ステップ29，図９参照）。取り替えられたページ51のレイアウトが取り替えられる前のページ51Ａのレイアウトと同じ場合には，ユーザが立体画像を貼り付けようとしていた画像合成領域53に対応する位置にある画像合成領域53Ａに共通部分64が表示されるのはいうまでもない。
【００５１】
視差量調整が終了でなければ（ステップ29でＮＯ），再びステップ23からの処理が繰り返される。
【００５２】
視差量の縮小指令が与えられると（ステップ24），視差量の縮小処理が行われる（ステップ31）。
【００５３】
図10は，視差量の縮小処理が行われた立体画像の一例である。
【００５４】
視差量の縮小処理が行われると，左目用画像60Ｌと右目用画像60Ｒとが水平方向に近づけられる。左目用画像60Ｌと右目用画像60Ｒとの重複画像部分61Ｃの横幅ｗ２は画像合成領域53の横幅ｗ１よりも広いから，画像合成領域53に余白はできない。このために，重複画像部分61Ｃのうち，領域62内の画像が画像合成領域53に表示される。
【００５５】
上述の実施例では，立体画像の視差を拡大することにより画像合成領域に余白ができてしまう場合には，余白ができないような画像合成領域が形成されているページに取り替えられるので画像合成領域に余白ができてしまうことを未然に防止できる。
【００５６】
図11は，他の実施例を示すもので，電子アルバム生成処理手順の一部を示すフローチャートである。図11において，図４に示す処理と同一の処理については同一符号を付して説明を省略する。
【００５７】
図11に示す処理は，記憶されているページの画像に形成されている画像合成領域に余白が生じない（余白が少なくなる）視差量の拡大までを許容するものである。
【００５８】
図３に示したように，選択されているページ51の画像合成領域53に立体画像を表示させ，その立体画像の視差量を拡大することにより画像合成領域53に余白ができると（ステップ27でＹＥＳ），記憶されているページに形成されている画像合成領域に余白が少なくなるものがあるかどうかが判定される（ステップ71）。たとえば，画像合成領域53の高さｈ１以上の高さ（または等しい高さ）をもち，かつ画像合成領域53の横幅ｗ１と共通部分64の横幅ｗ２以上の横幅をもつ画像合成領域があれば，余白が少なくなる画像合成領域が形成されているページがあるものと判定される。
【００５９】
記憶されているページに形成されている画像合成領域に余白が少なくなるものがあると（ステップ71）。余白が少なくなる画像合成領域が形成されているページに取り替えられる（ステップ28）。
【００６０】
記憶されているページに形成されている画像合成領域に余白が少なくなるものが無ければ（ステップ71でＮＯ），視差量調整指令によって与えられた視差量拡大処理が無効とされる（ステップ72）。視差量拡大前の立体画像が画像合成領域53に表示される。視差量の拡大は，余白が少なくなる場合に許容されることとなる。
【００６１】
上述した実施例では，画像合成領域53に余白ができないような処理が行われているが，このような処理は，電子アルバムを構成する（必ずしも電子アルバムを構成せずに１枚の台紙に画像合成領域53が形成されているようなものでもよい）ページの画像の画像合成領域53のレイアウトに応じて適用するかどうかを決定してもよい。たとえば，レイアウトが同じであり，電子アルバムを構成するページに複数の同一形状の矩形の画像合成領域があり，同一列の画像合成領域については左辺と右辺とが一致しており，かつ同一行の画像合成領域については上辺と下辺とが一致している場合に，上述のように画像合成領域に余白ができないような処理を行うようにしてもよい。
【００６２】
また，視差量の調整範囲に制限がある場合には，その制限内で余白ができないような画像合成領域が形成されているページを決定するようにしてもよい。さらに，ページの画像は，あらかじめ記憶されているものの中から決定されているが，上述のように，共通部分64のアスペクト比が読み取られると，そのアスペクト比をもつ画像合成領域が形成されたページの画像を生成するようにしてもよい。この場合も好ましくは，生成されるページの画像のレイアウトは，立体画像を貼り付けて余白が生じた画像合成領域が形成されているページのレイアウトと同じとする。
【００６３】
上述の実施例においては，画像合成領域53，53Ａなどが規定されたページの画像52，52Ａなどから構成される電子アルバムについて説明したが，電子アルバムに限らず，それぞれの画像（テンプレート）に画像合成領域が形成されているスライドショーにも適用できるのはいうまでもない。また，そのような画像（テンプレート）は必ずしも複数でなくともよい。
【符号の説明】
【００６４】
１  パーソナル・コンピュータ（立体画像表示制御装置）
２  ＣＰＵ（第１の表示制御手段，視差量拡大手段，余白判定手段，取替え手段，第２の表示制御手段）
３  表示装置
52  ページの画像（第１のテンプレート画像）
52Ａ  ページの画像（第２のテンプレート画像）
53  画像合成領域（第１の画像合成領域）
53Ａ  画像合成領域（第２の画像合成領域）
60Ｌ  左目用画像
60Ｒ  右目用画像
61  重複画像部分（第１の重複画像部分）
61Ｂ  重複画像部分（第２の重複画像部分）
【図１】
0005324538.tif 000002
【図２】
0005324538.tif 000003
【図３】
0005324538.tif 000004
【図４】
0005324538.tif 000005
【図５】
0005324538.tif 000006
【図６】
0005324538.tif 000007
【図７】
0005324538.tif 000008
【図８】
0005324538.tif 000009
【図９】
0005324538.tif 000010
【図１０】
0005324538.tif 000011
【図１１】
0005324538.tif 000012